(57)【要約】【課題】いずれの側壁部に係合部（凹凸部）が設けられているかを容易に視認することができ、ロール部材の段積作業の能率を大きく向上させることができるロール部材用のプロテクターを提供する。【解決手段】略正方形の平板部１と、平板部１の略中央に設けられたロール部材の保持部３と、平板部１の周縁部に連接された矩形枠状の側壁部２とを備え、少なくとも１つの側壁部２の表面に、上下に重ね合わせた時に互いに係合する係合部１１を設けるとともに、この係合部１１を外部から視認できるようにした。【選択図】　　　　　図１
2004010075.tif 000002
【特許請求の範囲】
【請求項１】
略正方形の平板部と、該平板部の略中央に設けられたロール部材の保持部と、前記平板部の周縁部に連接された矩形枠状の側壁部とを備え、少なくとも１つの前記側壁部の表面に、上下に重ね合わせた時に互いに係合する係合部を設けるとともに、この係合部を外部から視認できるようにしたことを特徴とするロール部材用プロテクター。
【請求項２】
前記平板部の周縁部の、前記係合部と相対する位置に窪み部を形成し、この窪み部に補強用部材を設けたことを特徴とするロール部材用プロテクター。
【請求項３】
前記補強用部材は、補強用リブからなることを特徴とする請求項２記載のロール部材用プロテクター。
【請求項４】
前記平板部の各隅部に脚部を設け、前記係合部または係合部の一方が設けられた側壁部側に位置する両脚部と、この係合部または係合部の一方が設けられた側壁部と対向する側壁部側に位置する両脚部の大きさが異なるようにしたことを特徴とする請求項１乃至３のいずれかに記載のロール部材用プロテクター。
【請求項５】
前記係合部または係合部の一方が設けられた側壁部側の略半分の領域と、この係合部または係合部の一方が設けられた側壁部と対向する側壁部側の略半分の領域とをそれぞれ異なる色で着色したことを特徴とする請求項１乃至３のいずれかに記載のロール部材用プロテクター。
【請求項６】
前記係合部が設けられた側壁部に平行な前記平板部の中央線から偏った位置に、手持ち用孔を設けたことを特徴とする請求項１乃至５のいずれかに記載のロール部材用プロテクター。
【発明の詳細な説明】
【０００１】
【発明の属する技術分野】
本発明は、ロール部材を運搬する際に、ロール部材の両端部に取り付けられるロール部材用プロテクターに関するものである。
【０００２】
【従来の技術】
包装用フィルムなどの円筒状のロール部材を運搬する際に、ロール部材の両端に取り付けられるプロテクターと呼ばれる略直方体状の保護具が知られている。ロール部材の運搬時に上記プロテクターを使用して該ロール部材を支持することにより、ロール部材の外周面と他の部材との接触を防止することができる。また、プロテクターを介して複数のロール部材を上下方向に積み重ねることができ、ロール部材の運搬作業の利便性を向上させることができる。
【０００３】
上述したプロテクターは、一般に、略正方形の平板部と、この平板部の四方の周縁に立設された側壁部と、ロール部材の中心軸方向に形成されている中空部に挿入してロール部材を保持する円柱状の保持部とから基本的に構成される。また、プロテクターの１つの側壁部には、必要に応じて一方を反転させた状態で上下に重ね合わせた時に互いに係合する形状を有した２組の凹凸部（係合部）が一般に形成されている。
【０００４】
プロテクターは、ロール部材の中空部に保持部を挿入することでロール部材に取り付けられる。プロテクターが取り付けられた２つのロール部材を上下に積み重ねる場合には、上下に積載されるプロテクターの一方を必要に応じて反転させた状態でそれぞれの凹凸部（係合部）を互いに係合させる。これにより、上下に段積されたプロテクター同士を固定させることができ、上段に積載されたロール部材の落下を防止することができる。
【０００５】
【発明が解決しようとする課題】
上述したように、上下に積載されるプロテクターの凹凸部を互いに係合させるためには、一方のプロテクタ−を必要に応じて反転させて上下の凹凸部が互いに対面するようにそれぞれの凹凸部の向きを確認した上で各プロテクターを載置する必要がある。しかしながら、プロテクターの平板部は略正方形であるため、一見しただけではロール部材に装着されたプロテクターのいずれの側壁部に凹凸部が設けられているのかを判断することが困難であった。このため、ロール部材の段積作業が遅延するといった問題が生じていた。
【０００６】
また、１つの側壁部に凸部を、該凸部を形成した側壁部に対向する側壁部に該凸部に係合する凹部をそれぞれ係合部として設け、プロテクターを反転させることなく、上下に段積するようにしたタイプのものもあるが、このタイプの場合、凹部は側壁部の内側に窪ませて形成されているために、プロテクターの段積作業中に凹部の位置を確認することが難しく、このため、上下の係合部を係合させる作業が困難であった。
【０００７】
本発明は、上記事情に鑑みてなされたもので、いずれの側壁部に係合部（凹凸部）が設けられているかを容易に視認することができ、ロール部材の段積作業の能率を大きく向上させることができるロール部材用のプロテクターを提供することを目的とする。
【０００８】
【課題を解決するための手段】
請求項１に記載の発明は、略正方形の平板部と、該平板部の略中央に設けられたロール部材の保持部と、前記平板部の周縁部に連接された矩形枠状の側壁部とを備え、少なくとも１つの前記側壁部の表面に、上下に重ね合わせた時に互いに係合する係合部を設けるとともに、この係合部を外部から視認できるようにしたことを特徴とするロール部材用プロテクターである。
【０００９】
このように構成された本発明によれば、いずれの側壁部に凹凸部等の係合部が設けられているかを容易に判断することができる。その結果、ロール部材の段積作業を行う際に、上下のプロテクターの凹凸部等を互いに対面する方向に確実に向けることができる。
【００１０】
請求項２に記載の発明は、前記平板部の周縁部の、前記係合部と相対する位置に窪み部を形成し、この窪み部に補強用部材を設けたことを特徴とするロール部材用プロテクターである。
これにより、プロテクターを上下に積み重ねる際に、窪み部を視認することにより凹部等の係合部の位置が容易に確認できる。その結果、上下の係合部（凹凸部）を係合させる作業を円滑に行うことができる。
【００１１】
請求項３に記載の発明は、前記補強用部材は、補強用リブからなることを特徴とする請求項２記載のロール部材用プロテクターである。
請求項４に記載の発明は、前記平板部の各隅部に脚部を設け、前記係合部または係合部の一方が設けられた側壁部側に位置する両脚部と、この係合部または係合部の一方が設けられた側壁部と対向する側壁部側に位置する両脚部の大きさが異なるようにしたことを特徴とする請求項１乃至３のいずれかに記載のロール部材用プロテクターである。
これにより、脚部の大きさの違いにより、いずれの側壁部に係合部（凹凸部）が設けられているかを容易に視認することができる。
【００１２】
請求項５に記載の発明は、前記係合部または係合部の一方が設けられた側壁部側の略半分の領域と、この係合部または係合部の一方が設けられた側壁部と対向する側壁部側の略半分の領域とをそれぞれ異なる色で着色したことを特徴とする請求項１乃至３のいずれかに記載のロール部材用プロテクターである。
これにより、異なる色の領域に基づいて、いずれの側壁部に係合部（凹凸部）が設けられているかを容易に視認することができる。
【００１３】
請求項６に記載の発明は、前記係合部が設けられた側壁部に平行な前記平板部の中央線から偏った位置に、手持ち用孔を設けたことを特徴とする請求項１乃至５のいずれかに記載のロール部材用プロテクターである。
これにより、手持ち用孔の位置に基づいて、いずれの側壁部に係合部（凹凸部）が設けられているかを容易に視認することができる。
【００１４】
【発明の実施の形態】
以下、本発明の第１の実施形態に係るロール部材保護用のプロテクターについて図面を参照して説明する。
図１は本実施形態に係るプロテクターの平面図である。図２（ａ）は図１のＡ方向矢視図であり、図２（ｂ）は図１のＢ方向矢視図である。図３及び図４は本実施形態に係るプロテクターを示す斜視図である。
【００１５】
図１乃至図４に示すように、プロテクターは、略正方形の平板部１と、平板部１の四方の周縁部に立設された側壁部２（２ａ，２ｂ，２ｃ，２ｄ）とを備えている。平板部１の中央には、ロール部材（図示せず）を保持するための円筒状の保持部３が突出して設けられている。平板部１の各隅部には、保持部３と同じ方向に突出する脚部４（４ａ，４ａ，４ｂ，４ｂ）が設けられ、各脚部４の先端面には円形突起部５が設けられている。また、図４に示すように、平板部１及び側壁部２に囲まれる内側の空間には、プロテクターの強度を高めるための補強用リブ６が格子状に設けられている。そして、上述した総ての構成部材は合成樹脂により一体的に成形されている。
【００１６】
一般に、１つのロール部材に対して２つのプロテクターが使用される。即ち、ロール部材の両側から、それぞれのプロテクターの保持部３をロール部材の中空部に挿入させることで２つのプロテクターがロール部材に取り付けられる。また、プロテクターには、ロール部材にプロテクターを装着して荷台上に載置したときに、荷台の載置面とロール部材の外周面とが接触しないことが必要とされる。このため、平板部１の各側壁部２の長さは、プロテクターが使用されるロール部材の直径よりも大きく形成されている。
【００１７】
図５は本実施形態に係るプロテクター同士を積み重ねた状態を示す図である。各脚部４の先端面に形成された円形突起部５の直径の大きさは、平板部１の対角線に沿って平行に延びる２本の補強用リブ６ａ，６ａ（図４参照）の間隔にほぼ一致している。そして、図５に示すように、複数のプロテクターを同じ方向に向けて積み重ねると、各円形突起部５は、隣接する他のプロテクターの補強用リブ６ａ，６ａの隙間に挿入される。これにより、積み重ねられた各プロテクター同士のガタツキを防止することができ、複数のプロテクターを安全に積み重ねることができる。
【００１８】
図１乃至図４に示すように、四方を囲む４つの側壁部２のうち、１つの側壁部２ａには、係合部として凹凸部１１が形成されている。凹凸部１１は、互いに係合する形状を有した凹部１１ａと凸部１１ｂとが隣接して構成され、この凹部１１ａ及び凸部１１ｂからなる凹凸部を１組として、計２組の凹凸部１１，１１が同一の側壁部２ａに形成されている。プロテクターを介してロール部材を上下に積み重ねる場合は、それぞれの凹凸部１１，１１が互いに向き合うように上下のプロテクターを積載し、上下の凹凸部１１，１１を互いに係合させることにより、プロテクター同士を固定させることができる。
【００１９】
凹凸部が形成された側壁部２ａの両端に位置する２本の脚部４ａ，４ａの大きさと、この側壁部２ａに対向する側壁部２ｂの両端に位置する２本の脚部４ｂ，４ｂの大きさとは、互いに異なるように形成されている。即ち、図１に示すように、凹凸部が設けられた側壁部２ａ側に位置する２本の脚部４ａ，４ａは、この側壁部２ａに対向する側壁部２ｂ側に位置する２本の脚部４ｂ，４ｂよりも、その大きさの違いが容易に視認できる程度に小さく形成されている。このような構成により、脚部４の大きさの違いを視認することにより、ロール部材の段積作業中に、いずれの側壁部２に凹凸部１１，１１が設けられているかが容易に判断される。
【００２０】
図１乃至図４に示すように、上下に積載されるプロテクターの凹凸部１１，１１を係合させる際に、凹凸部１１，１１の凹部１１ａの位置が容易に判断できるよう、平板部１の平滑面（表面）の周縁部には、凹部１１ａに隣接して、凹部１１ａの位置を示す窪み部７が形成されている。窪み部７が形成されている平板部１の平滑面上の位置は、凹部１１ａを平板部１の平滑面に投影した部位、即ち、凹部１１ａと相対する位置である。また、窪み部７の大きさ及び形状は、凹部１１ａを形成する側面とほぼ同様である。なお、各窪み部７には、この窪み部７を補強するための３本の補強用部材７ａが形成されている。
【００２１】
次に、本実施形態に係るプロテクターを使用してパレットと呼ばれる荷台にロール部材を積載する作業工程について図６を参照して説明する。図６は本実施形態に係るプロテクターを２つのロール部材にそれぞれ取り付けてパレットに積載するときの一作業工程を示す図である。
【００２２】
図６に示すように、まず、プロテクターＰ１が取り付けられたロール部材Ｒ１を、凹凸部１１，１１が上方を向くようにパレット１９の上に載置する。そして、ロール部材Ｒ１の上に、プロテクターＰ２を介してロール部材Ｒ２が積み重ねられる。このとき、上段のプロテクターＰ２は、その凹凸部１１，１１が下方を向くようにプロテクターＰ１の上に積載され、下段のプロテクターＰ１の凹凸部１１，１１と上段のプロテクターＰ２の凹凸部１１，１１とを係合させる。
【００２３】
上述したように、プロテクターを介したロール部材の段積作業においては、上下の凹凸部１１，１１を係合させるため、それぞれの凹凸部１１，１１が互いに向きあうように各プロテクターを載置する必要がある。本実施形態に係るプロテクターによれば、凹凸部１１，１１が設けられた側壁部２ａの向きは、脚部４の大きさ及び窪み部７により容易に視認することができる。その結果、ロール部材の段積作業を円滑に行うことができる。また、窪み部７を視認することにより側壁部２ａに形成された凹凸部１１の凹部１１ａの位置が容易に確認できるため、上下の凹凸部１１，１１の係合作業を容易にすることができる。さらに、各窪み部７には、３本の補強用部材７ａが形成されているため、プロテクターを段積する作業中に窪み部７に作用する力に対して強度を確保することができる。
【００２４】
次に、本発明の第２の実施形態に係るプロテクターについて図７を参照して説明する。図７は本実施形態に係るプロテクターを２つのロール部材にそれぞれ取り付けてパレットに積載するときの一作業工程を示す図である。なお、特に説明しない構成については第１の実施形態と同様であるので重複する説明を省略する。
【００２５】
本実施形態に係るプロテクターは、凹凸部１１，１１が設けられた側壁部２ａ側の略半分の領域と、側壁部２ａに対向する側壁部２ｂ側の略半分の領域とが、それぞれ異なる色で着色されている。即ち、図７に示すように、凹凸部１１，１１が設けられた側壁部２ａが位置する略半分の第１の領域ｒ１と、この側壁部２ａに対向する側壁部２ｂが位置する略半分の第２の領域ｒ２とは、一見して色の違いが視認できる程度に色分けされている。このようにプロテクターを配色したことにより、いずれの側壁部２に凹凸部１１，１１が設けられているかを色の違いに基づいて容易に判断することができる。
【００２６】
図７に示すように、本実施形態では、下段に載置されるプロテクターＰ１は、凹凸部１１，１１が設けられている領域ｒ１が上方に位置するようにパレット１９上に載置される。そして、上段のプロテクターＰ２は、領域ｒ１が下方に位置するように下段のプロテクターＰ１の上に積載される。つまり、図７に示すように、同じ色に着色された領域が対面するように上下のプロテクターＰ１，Ｐ２を載置すれば、上下の凹凸部１１，１１とを互いに係合させることができる。
【００２７】
次に、本発明の第３の実施形態に係るプロテクターについて図８を参照して説明する。図８は本実施形態に係るプロテクターの平面図である。なお、特に説明しない構成については第１の実施形態と同様であるので重複する説明を省略する。
【００２８】
図８に示すように、平板部１の所定の部位には、プロテクターの持ち運びがしやすいように、手持ち用孔８，８が２つ設けられている。これらの手持ち用孔８，８が設けられている部位は、凹凸部１１，１１が設けられた側壁部２ａに並行な平板部１の中央線Ｔから側壁部２ａ側に偏った位置にそれぞれ設けられている。従って、この手持ち用孔８，８の位置を視認することにより、凹凸部１１，１１が設けられた側壁部２ａを容易に判断することが可能となる。
【００２９】
次に、本発明の第４の実施形態に係るプロテクターについて図９を参照して説明する。図９は本実施形態に係るプロテクターを２つのロール部材にそれぞれ取り付けてパレットに積載するときの一作業工程を示す図である。なお、特に説明しない構成については第１の実施形態と同様であるので重複する説明を省略する。
【００３０】
図９に示すように、側壁部２ａ，２ｂには、係合部として、凸部３１と、この凸部３１に係合する凹部（図示せず）がそれぞれ設けられている。即ち、対向する２つの側壁部２ａ，２ｂのうち、一方の側壁部２ａには凸部３１が設けられ、他方の側壁部２ｂには凹部が設けられている。また、平板部１の表面（平滑面）には、凹部に隣接する窪み部７が設けられている。なお、窪み部７には３本の補強用部材７ａが設けられている。
【００３１】
本実施形態に係るプロテクターは、凸部３１が設けられた側壁部２ａ側の略半分の領域と、凹部が設けられた側壁部２ｂ側の略半分の領域とが、それぞれ異なる色で着色されている。即ち、図９に示すように、平板部１の中央から凸部３１が設けられている側壁部２ａまでの略半分の領域ｒ１と、その他の領域、即ち、平板部１の中央から凹部が設けられている側壁部２ｂまでの略半分の領域ｒ２とは、互いに異なる色で着色されている。
【００３２】
本実施形態に係るプロテクターを用いてロール部材Ｒ１，Ｒ２を段積する際は、まず、下段のプロテクターＰ１を、凸部３１が上方を向くようにパレット１９上に載置し、上段のプロテクターＰ２を、凹部が下方を向くように下段のプロテクターＰ１の上に積載する。即ち、本実施形態では、異なる色の領域が対面するようにプロテクターＰ１，Ｐ２を上下に積載すれば、上下の凹部と凸部３１とを互いに係合させることができる。
【００３３】
【発明の効果】
以上説明したように、本発明によれば、係合部が向く方向を容易に視認することが可能となり、ロール部材を上下に段積する作業の能率を向上させることが可能となる。また、凹凸部等の係合部が設けられている位置を確認しながら上下の係合部を係合させることができるので、プロテクターの段積作業を容易に行うことが可能となる。
【図面の簡単な説明】
【図１】本発明の第１の実施形態に係るプロテクターの平面図である。
【図２】図２（ａ）は図１のＡ方向矢視図であり、図２（ｂ）は図１のＢ方向矢視図である。
【図３】本発明の第１の実施形態に係るプロテクターを示す表面側から見た斜視図である。
【図４】本発明の第１の実施形態に係るプロテクターを示す裏面側から見た斜視図である。
【図５】本発明の第１の実施形態に係るプロテクターを積み重ねた状態を示す図である。
【図６】図６（ａ）は本発明の第１の実施形態に係るプロテクターを３つのロール部材にそれぞれ取り付けてパレットに積載するときの一作業工程を示す図である。
【図７】本発明の第２の実施形態に係るプロテクターを２つのロール部材にそれぞれ取り付けてパレットに積載するときの一作業工程を示す図である。
【図８】本発明の第３の実施形態に係るプロテクターを示す平面図である。
【図９】本発明の第４の実施形態に係るプロテクターを２つのロール部材にそれぞれ取り付けてパレットに積載するときの一作業工程を示す図である。
【符号の説明】
１　　　平板部
２　　　側壁部
３　　　保持部
４　　　脚部
５　　　円形突起部
６　　　補強用リブ
７　　　窪み部
８　　　手持ち用孔
１１　　　凹凸部（係合部）
１９　　　パレット
３１　　　凸部（係合部）
【図１】
2004010075.tif 000003
【図２】
2004010075.tif 000004
【図３】
2004010075.tif 000005
【図４】
2004010075.tif 000006
【図５】
2004010075.tif 000007
【図６】
2004010075.tif 000008
【図７】
2004010075.tif 000009
【図８】
2004010075.tif 000010
【図９】
2004010075.tif 000011